(57)【要約】【課題】電気かみそりにおいて、引剃りを可能とする。【解決手段】ハンドル部１の先端側にヘッド部２を傾動可能に取り付け、該ヘッド部２に刃体ユニット３を具えた電気かみそりにおいて、ヘッド部２は、ハンドル部１を縦向きに支持した状態で刃体ユニット３が横向きとなるまで傾動可能且つロック手段６によって横向き位置に保持可能である。ヘッド部２を横向きにすれば、引剃りができる。【選択図】図２
2009201714.tif 000002
【特許請求の範囲】
【請求項１】
ハンドル部(１)の先端側にヘッド部(２)を傾動可能に取り付け、該ヘッド部(２)に刃体ユニット(３)を具えた電気かみそりにおいて、
ヘッド部(２)は、ハンドル部(１)を縦向きに支持した状態で刃体ユニット(３)が横向きとなるまで傾動可能且つロック手段(６)によって横向き位置に保持可能である、電気かみそり。
【請求項２】
ハンドル部(１)は、軸状に形成されてヘッド部(２)側が略Ｔ字状に拡大し、拡大部両端にブラケットアーム(11)(11)を突設し、該ブラケットアーム(11)(11)間にヘッド部(２)を取り付けている、請求項１に記載の電気かみそり。
【請求項３】
ヘッド部(２)は、ハンドル部(１)を縦向きに支持した状態で刃体ユニット(３)が略横向きとなる基本傾きポジションである引剃り傾きポジションと、刃体ユニット(３)が略上向きとなる際剃り傾きポジションを含めて複数の傾きポジションでロック可能な、請求項１又は２に記載の電気かみそり。
【請求項４】
ヘッド部(２)は、ハンドル部(１)の軸芯Ｐ1のヘッド部(２)を通過する延長線に対して引剃り傾きポジションでは略８０°傾き、際剃り傾きポジションでは略２０°傾く、請求項３に記載の電気かみそり。
【請求項５】
ハンドル部(１)先端にモータに連繋して偏芯回転軸(16)が突出し、ヘッド部(２)はハンドル部(１)先端両側に突設したブラケットアーム(11)(11)間に傾動可能に取り付けられ、ヘッド部(２)は、ハンドル部(１)側底部がヘッド部(２)の傾動方向に湾曲したヘッド本体ケース(21)と、該ヘッド本体ケース(21)に着脱に取り付けられた外刃カセット(30)と、ヘッド本体ケース(21)の底板(22)を遊貫した前記偏芯回転軸(16)に係合してハンドル部(１)と直交する方向に往復動する振動子(４)と、外刃カセット(30)の外刃(32)(33)に内側から摺接し前記振動子(４)に取り付けらて該振動子と一体的に往復動する内刃(35)(35)とによって構成され、振動子(４)は、前記偏芯回転軸(16)を摺接可能に挟んで振動子(４)の往復方向と直交して平行にガイド板(43)(43)を有し、該ガイド板(43)は、ヘッド本体底部の湾曲に沿う円弧縁(43a)を有し、両ガイド板(43)(43)には該円弧縁(43a)に沿って外向きに塞ぎ片(44)を突設しており、ヘッド部(２)の底板(22)には、偏芯回転軸(16)との干渉を避ける幅の溝孔(28)が開設され、前記塞ぎ片(44)は振動子(４)が該溝孔(28)の幅方向に振動しても溝孔(28)を塞ぐ、請求項１乃至４の何れかに記載の電気かみそり。
【請求項６】
ハンドル部(１)が縦向き、ハンドル部(１)上端のヘッド部(２)が横向きの状態で、刃体ユニット(３)には、下から順に際剃り外刃(32)、荒剃り外刃(33)、仕上げ剃り外刃(34)が並び、各外刃(32)(33)(34)の外面は略同一平面Ｆに揃い、該平面Ｆとハンドル部(１)の軸芯Ｐ1が成す角度は１０〜２０°であり、該軸芯Ｐ1に対して仕上げ剃り外刃(34)が一番遠い位置にある、請求項１乃至５の何れかに記載の電気かみそり。
【請求項７】
ヘッド本体ケース(21)の引剃り傾きポジョン側へ向く正面に、際剃り外刃(32)を際剃り位置へ押し上げるための押上げ摘み(55)、背面に洗浄用窓孔(51)及び洗浄用窓孔(51)を塞ぐ蓋板(52)が取り付けられている、請求項４又は５に記載の電気かみそり。
【発明の詳細な説明】
【技術分野】
【０００１】
本発明は、刃体ユニットを具えたヘッド部を、ハンドル部に傾動可能に支持した電気かみそりに関する。
【背景技術】
【０００２】
刃体ユニットを具えたヘッド部をハンドル部に傾動可能に支持し、ハンドル部に対して剃り刃の角度を変えることのできる電気かみそりが実施されている(例えば、特許文献１)。
【特許文献１】実願昭６１−６３７２
【発明の開示】
【発明が解決しようとする課題】
【０００３】
上記従来の電気かみそりは、ハンドル部に対するヘッド部の最大傾きは僅かであり、ハンドル部をヘッド側へ押す様にして使用する(以下、「押剃り」とする)を前提としている。
押剃りの場合、必要以上に刃を肌を押付け勝ちとなり、剃り跡がヒキツク。加えて無意識のうちに肘を肩近くまで上げて手を動かすため、筋肉疲労を感じることがある。
本発明は、従来の電気かみそりでは想定外であった、電気かみそりを、Ｔ形安全かみそりの様に、引いて髭を剃ること(以下、「引剃り」)を実現できる電気かみそりを明らかにするものである。
【課題を解決するための手段】
【０００４】
請求項１は、ハンドル部(１)の先端側にヘッド部(２)を傾動可能に取り付け、該ヘッド部(２)に刃体ユニット(３)を具えた電気かみそりにおいて、
ヘッド部(２)は、ハンドル部(１)を縦向きに支持した状態で刃体ユニット(３)が横向きとなるまで傾動可能且つロック手段(６)によって横向き位置に保持可能である。
【０００５】
請求項２は請求項１に記載の電気かみそりにおいて、ハンドル部(１)は、軸状に形成されてヘッド部(２)側が略Ｔ字状に拡大し、拡大部両端にブラケットアーム(11)(11)を突設し、該ブラケットアーム(11)(11)間にヘッド部(２)を取り付けている。
【０００６】
請求項３は請求項１又は２に記載の電気かみそりにおいて、ヘッド部(２)は、ハンドル部(１)を縦向きに支持した状態で刃体ユニット(３)が略横向きとなる基本傾きポジションである引剃り傾きポジションと、刃体ユニット(３)が略上向きとなる際剃り傾きポジションを含めて複数の傾きポジションでロック可能である。
【０００７】
請求項４は請求項３に記載の電気かみそりヘッド部(２)において、ハンドル部(１)の軸芯Ｐ1のヘッド部(２)を通過する延長線に対して引剃り傾きポジションでは略８０°傾き、際剃り傾きポジションでは略２０°傾く。
【０００８】
請求項５は請求項１乃至４の何れかに記載の電気かみそりにおいて、ハンドル部(１)先端にモータに連繋して偏芯回転軸(16)が突出し、ヘッド部(２)はハンドル部(１)先端両側に突設したブラケットアーム(11)(11)間に傾動可能に取り付けられ、ヘッド部(２)は、ハンドル部(１)側底部がヘッド部(２)の傾動方向に湾曲したヘッド本体ケース(21)と、該ヘッド本体ケース(21)に着脱に取り付けられた外刃カセット(30)と、ヘッド本体ケース(21)の底板(22)を遊貫した前記偏芯回転軸(16)に係合してハンドル部(１)と直交する方向に往復動する振動子(４)と、外刃カセット(30)の外刃(32)(33)に内側から摺接し前記振動子(４)に取り付けらて該振動子と一体的に往復動する内刃(35)(35)とによって構成され、振動子(４)は、前記偏芯回転軸(16)を摺接可能に挟んで振動子(４)の往復方向と直交して平行にガイド板(43)(43)を有し、該ガイド板(43)は、ヘッド本体底部の湾曲に沿う円弧縁(43a)を有し、両ガイド板(43)(43)には該円弧縁(43a)に沿って外向きに塞ぎ片(44)を突設しており、ヘッド部(２)の底板(22)には、偏芯回転軸(16)との干渉を避ける幅の溝孔(28)が開設され、前記塞ぎ片(44)は振動子(４)が該溝孔(28)の幅方向に振動しても溝孔(28)を塞ぐ。
【０００９】
請求項６は請求項１乃至５の何れかに記載の電気かみそりにおいて、ハンドル部(１)が縦向き、ハンドル部(１)上端のヘッド部(２)が横向きの状態で、刃体ユニット(３)には、下から順に際剃り外刃(32)、荒剃り外刃(33)、仕上げ剃り外刃(34)が並び、各外刃(32)(33)(34)の外面は略同一平面Ｆに揃い、該平面Ｆとハンドル部(１)の軸芯Ｐ1が成す角度は１０〜２０°であり、該軸芯Ｐ1に対して仕上げ剃り外刃(34)が一番遠い位置にある。
【００１０】
請求項７は請求項４又は５に記載の電気かみそりにおいて、ヘッド本体ケース(21)の引剃り傾きポジョン側へ向く正面に、際剃り外刃(32)を際剃り位置へ押し上げるための押上げ摘み(55)、背面に洗浄用窓孔(51)及び洗浄用窓孔(51)を塞ぐ蓋板(52)が取り付けられている。
【発明の効果】
【００１１】
請求項１の電気かみそりは、ハンドル部(１)に対して、略横向きにすれば、ハンドル部(１)を引く様にしてヘッド部(２)を顔に滑らせて髭を剃ることができる。
引剃りの場合、刃面で肌を必要以上に押さえることがなくなり、肌を傷めてヒリツクことを防止できる。又、必要以上に力を加えないこと、及び肘を肩近くまで上げずともひげ剃りでき、筋肉負担を低減できる。
ヘッド部(２)はロック手段(６)によって傾きを固定できるから、使用中にヘッド部(２)の角度が変わることはなく、安全に使用できる。
【００１２】
請求項２の電気かみそりは、ハンドル部(１)が軸状であるから、図１８に示す顎下の髭剃り、図１９に示す顔横の髭剃りを下から上へ引剃りするときに、従前のＴ形安全かみそりを持つ間隔で電気かみそりを持つことができ、使い易い。
【００１３】
請求項３の電気かみそりは、ヘッド部(２)を図２ｃに示す、際剃り傾きポジションにすれば、従前の電気かみそりと同様にして、揉み上げ等の際剃りを行うことができる。
【００１４】
請求項４の電気かみそりは、請求項３と同様の効果を奏する。
【００１５】
請求項５の電気かみそりは、振動子(４)は偏芯回転軸(16)を平行ガイド板(43)(43)で摺接可能に挟み、該ガイド板(43)(43)は、ヘッド部(２)の回転方向に湾曲した円弧縁(43a)をヘッド本体ケース(21)の底板(22)に内側から対向させおり、該底板(22)には偏芯回転軸(16との干渉を防止する溝孔(28)が開設されているから、ヘッド部(２)の傾動に何ら支障はない。
振動子(４)が溝孔(28)の場方向に振動しても、振動子(４)のガイド板(43)(43)に外向きに突設されした塞ぎ片(44)(44)が溝孔(28)を覆うから、髭屑等の異物が溝孔(28)を出入りすることを防止できる。又、塞ぎ片(44)(44)はガイド板(43)(43)の補強リブの役割を果たし、ガイド板(43)(43)の薄肉化に寄与できる。
【００１６】
請求項６の電気かみそりは、引剃りの際に、先ず際剃り外刃(32)で癖のある長目の髭を剃り、荒剃り外刃(33)で普通に延びた髭を粗く剃り、仕上げ剃り外刃(34)で仕上げ剃りができるから、剃り残しの少ない効果的な髭剃りを行うことができる。
又、際剃り外刃(32)、荒剃り外刃(33)、仕上げ剃り外刃(34)の外面は略同一面内に揃い該同一面Ｆは、ハンドル部(１)の軸芯Ｐ1に対して１０〜２０°、該軸芯Ｐ1に対して仕上げ剃り外刃(34)が一番高くなる様に傾いているから、引剃りの際、意識して手を動かさずとも自然に全ての刃が肌に接して、効果的な髭剃りを実現できる。
【００１７】
請求項７の電気かみそりは、 図２０に示す如く、ヘッド本体ケース(21)の洗浄用窓孔(51)を開いて、上方からヘッド本体ケース(21)へ流水を注ぐと、側方に向いた刃の間から排水されて、効果的に洗浄できる。
際剃り外刃(32)は、荒剃り外刃(33)や仕上げ剃り外刃(34)よりも刃の目が粗い。洗浄用窓孔(51)は、ヘッド本体ケース(21)の背面側、即ち、刃の目が一番荒い際剃り外刃(32)から遠い位置に設けられているから、ヘッド本体ケース(21)に注がれた流水は、ヘッド本体ケース(21)内に行き渡って十分に洗浄してから各刃の目や、その他の隙間から排出される。このため、流水の投入だけで効果的な洗浄を実現できる。
ヘッド部(２)を際剃り傾きポジョンにして、ハンドル部(１)を正面を下向きにして握ると、洗浄用窓孔(51)は上向きとなり、各外刃(32)(33)(34)は、横向きとなるから、洗浄排水はハンドル部(１)から遠ざかる側方向に流れ出すから、ハンドル部(１)や手に飛び散ることを防止できる。
【発明を実施するための最良の形態】
【００１８】
図１、図３に示す如く、本発明の電気かみそりは、ハンドル部(１)の先端両側に突設したブラケットアーム(11)(11)間に、刃体ユニット(３)を具えたヘッド部(２)を傾動可能に支持して構成され、ロック手段(６)によってヘッド部(２)を複数の傾き位置でロック可能である。
ハンドル部(１)の正面中央の上部に電源スイッチ(10)が設けられている。
【００１９】
図２は、ヘッド部(２)の傾きロック位置を示しており、実施例では、３つの傾きポジョンでロック可能である。
図２ａは、本発明電気かみそりの使用時のヘッド部(２)の基本ポジションであって、ヘッド部(２)が略横向きとなる引剃り傾きポジション、図２ｃはヘッド部(２)が略上向きとなる際剃り傾きポジション、図２ｂは両傾きポジションの中間位置の中間傾きポジションを示している。
図２ｃの際剃り傾きポジションは、図２０に示し前記した様に、電気かみそりのヘッド部(２)内部を洗浄する際にも好適である。
中間傾きポジョンは、押剃りする場合に、肘を高く上げる必要がないので好適である。
ハンドル部(１)の軸芯Ｐ1のヘッド部(２)を通過する延長線と、ヘッド部(２)の傾き軸芯Ｐ2の成す角度は、引剃り傾きポジションでは略８０°、中間傾きポジションでは略５０°、際剃り傾きポジションでは略２０°である
ハンドル部(１)の軸芯Ｐ1とは、ハンドルの筒軸中心である。
ヘッド部(２)の傾き軸芯Ｐ2とは、ヘッド部(２)の回転中心(傾動中心)と、後記するヘッド部(２)の中央に位置する荒剃り外刃(33)の幅中心を通る軸芯とする。
【００２０】
図１に示す如く、ハンドル部(１)は、中空の軸状に形成され、ヘッド部(２)側が略Ｔ字状に拡大している。ハンドル部(１)はペンを持つ感覚で握れる様に細身で且つ全周に亘って丸みがある。
ハンドル部(１)の左右両側に、ブラケットアーム(11)の基端側からハンドル部(１)の基端側に向けて、緩やかに円弧状に凹んだ摘み当り面(17)が形成されている。
図１８、図１９に示す如く、ハンドル部(１)のブラケットアーム(11)側をハンドル部(１)の背面側から掴むとき、一方の摘み当り面(17)が第１指の腹に、他方の摘み当り面(17)が第２指の腹及び又は第３指の腹に当たる。
摘み当り面(17)には滑止め素材で形成され、及び／又は凹凸の滑止め加工が施されている。
上記したハンドル部(１)の形状は、図１８に示す顎下の髭剃り、図１９に示す顔横の髭剃りを引剃りするときに、従前のＴ形安全かみそりを持つ間隔で電気かみそりを持つことができ、使い易い。
【００２１】
ハンドル部(１)の前記ブラケットアーム(11)(11)の上端面は、ヘッド部(２)の回転方向に沿う凹み円弧面(14)に形成され、幅方向の中央部において少しハンドル部背面寄りに偏芯回転軸(16)が上向きに突設されている。該偏芯回転軸(16)は偏芯回転して後記する振動子(４)を左右に往復振動させる。
【００２２】
図４に示す如くヘッド部(２)は、ヘッド本体ケース(21)と、夫々該ヘッド本体ケース(21)に収容される振動子(４)、内刃(35)(35)及び外刃カセット(30)とによって構成される。
ヘッド本体ケース(21)は、前記ブラケットアーム(11)(11)間に枢支されハンドル部(１)側に位置する下部ケース(21a)と、該下部ケース(21a)に積み重ねて接続されたヘッド上部ケース(５)とによって構成される。
【００２３】
図８、図１４に示す如く、下部ケース(21a)は、上面が開口した横長の筺体であって、底板(22)はヘッド部(２)の回動中心を半径中心とする円弧面に形成され、即ち、前記ハンドル部(１)の上端凹み円弧面(14)に沿う様に形成されている。該底板(22)には、前記偏芯回転軸(16)が遊び嵌まる溝孔(28)が円弧方向に開設されている。
溝孔(28)は、ヘッド部(２)が前記引剃り傾きポジションから、際剃り傾きポジションへ姿勢を変えても、偏芯回転軸(16)に干渉しない範囲に延びている。
下部ケース底板(22)内面は、溝孔(28)の孔縁の全長に亘って低くなった逃し段部(29)が形成されている。
図８、図１１に示す如く、下部ケース(21a)の両端は小部屋(27)(27)に仕切られており、下部ケース(21a)の両端板(23)の面には円形の凹み段部(24)(24)が同心に形成され、凹み段部(24)の中心に円形の孔(25)が開設されている。
孔(25)には１８０°対称位置に切欠(25a)(25a)が設けられている。
凹み段部(24)には、孔(25)を挟んで１８０°対称位置にガイド孔(26)(26)が開設されている。
【００２４】
図８に示す如く下部ケース(21a)内には、前記偏芯回転軸(16)に連繋して振動子(４)が配備される。
振動子(４)は、従前の電気かみそりと同様にして、内刃取付け座(41)と該内刃取付け座(41)の両端に可撓性腕片(42)(42)を具えており、該可撓性腕片(42)(42)の自由端を下部ケース(21a)上の取付けボス(図示せず)にネジ止めして取り付けられる。
内刃取付け座(41)の下面に、前記偏芯回転軸(16)を摺接可能に挟んで振動子(４)の往復方向と直交して平行にガイド板(43)(43)が突設されている。
該ガイド板(43)(43)は、前記下部ケース(21a)の底板(22)の湾曲に沿う円弧縁(43a)を有し、該円弧縁(43a)に沿って外向きに塞ぎ片(44)(44)を突設している。
ガイド板(43)(43)の円弧縁(43a)は、前記ヘッド下部ケース(21a)の底板(22)に開設した溝孔(28)両側の逃し段部(29)内に嵌まっている。
振動子(４)は、偏芯回転軸(16)の偏芯回転によってガイド板(43)(43)が左右に押されることで下部ケース(21a)の長手方向に振動する。振動子(４)が振動しても、塞ぎ片(44)(44)が逃し段部(29)、即ち、溝孔(28)を塞いて、溝孔(28)を通る異物の出入りを防止できる。
【００２５】
下部ケース(21a)の上面開口は、該開口を塞ぐ振動子カバー(46)が取り付けられる。該振動カバー(46)には振動子(４)位置に対応して開口(46a)が開設されて、該開口にゴムキャップ(図示せず)が装着される。
振動子(４)は上記ゴムキャップを貫通して上部に接続部材(45)を具えている。
図９に示す如く、接続部材(45)は、内刃(35)(35)取り付け用の２つの取付け脚片(45a)(45a)と際剃り外刃(32)駆動用の係合部(45b)を具えている。
【００２６】
図９に示す如く、刃体ユニット(３)は、上記接続部材(45)の取付け脚片(45a)(45a)に着脱可能に嵌着される２つの内刃(35)(35)と、該内刃(35)(35)に被さる２つの外刃(33)(34)及び際剃り外刃(32)を具えた外刃カセット(30)と、前記下部ケース(21a)上のヘッド上部ケース(５)とによって構成される。
【００２７】
内刃(35)は、スリット孔列を有する金属板を断面逆Ｕ字状に湾曲させた刃板を具えている(例えば特開２００６−３４０９３８号公報)公知のものである。
【００２８】
図９、図１０に示す外刃カセット(30)は、上下面開口の横長枠状の刃体ケース(31)内に、３つの横長の外刃(32)(33)(34)を平行に並べて収容している。際剃り外刃(32)と仕上げ剃り外刃(34)との間に荒剃り外刃(33)が位置し、各外刃(32)(33)(34)は刃体ケース(31)上端開口からから臨出している。
前記各荒剃り外刃(33)と仕上げ剃り外刃(34)は、夫々金属薄板に多数の小孔を開設した網刃(33a)(34a)を、上下面が開口した横長の枠台(33b)(34b)に固定して形成されている。
際剃り外刃(32)は、金属板を逆Ｌ字状の屈曲し、屈曲部に切刃とな多数の切欠を列状に開設している。
際剃り外刃(32)は、後記する補助部材(32a)に取り付けられている。
図４に示す如く、外刃カセット(30)には、外刃保護カバー(20)が着脱可能に装着される。
【００２９】
図１６ａは、仕上げ剃り外刃(34)の切刃の孔パターンを示し、図１６ｂは１単位の孔パターンを拡大したものである。
図１７ａは、荒剃り外刃(33)の切刃の孔パターンを示し、図１７ｂは１単位の孔パターンを拡大したものである。
荒剃り外刃(33)、仕上げ剃り外刃(34)とも、１単位の孔パターンは、中心の孔(38)(38a)の回りに略等間隔に５つの孔(39)(39a)を配置しており、荒剃り外刃(33)の孔(38a)(39a)に較べて、仕上げ剃り外刃(34)の孔(38)(39)の方がより丸みがある。
際剃り外刃(32)の刃孔パターンは従前と同様でよい。
刃体ケース(31)内に水を注いだ場合、荒剃り外刃(33)や仕上げ剃り外刃(34)よりも仕上げ剃り外刃(34)の方が水の通りがよい。
【００３０】
刃体ケース(31)には、際剃り外刃(32)を際剃り高さに押上げるための補助部材(32a)が内蔵され、該補助部材(32a)に際剃り外刃(32)が取り付けられている。補助部材(32a)は、際剃り外刃(32)を刃体ケース(31)内へ没する方向にバネ(図示せず)によって付勢されている。
補助部材(32a)には、際剃り外刃(32)の内面を摺接可能に際剃り内刃(図示せず)が配備され、該際剃り内刃は、リンク片(56)を介して前記接続部材(45)上の係合部(45b)に連繋されて往復スライドする。
【００３１】
図２ａに示す如く、際剃り外刃(32)の下端位置にて、刃体ケース(31)の上面開口(31a)に対して、際剃り外刃(32)、荒剃り外刃(33)、仕上げ剃り外刃(34)の順に突出高さが大となり、際剃り外刃(32)、荒剃り外刃(33)、仕上げ剃り外刃(34)の夫々の外面は略同一平面Ｆに揃う。
【００３２】
図９に示すヘッド上部ケース(５)は、上、下面が開口した横長の枠筺体に形成されており、上面開口から、際剃り外刃(32)を正面側にして戦記外刃カセット(30)を収容する。この状態で荒剃り外刃(33)と仕上げ剃り外刃(34)の内面に、前記内刃(35)(35)が摺接する。
ヘッド上部ケース(５)は、正面に前記際剃り外刃(32)を押上げ操作するための、押上げ摘み(55)が横方向にスライド可能に配備されている。
図２ｃに仮想線で示す様に、際剃りに使用する場合は、従前と同様にして際剃り外刃(32)を押し上げた状態で使用する。
押上げ摘み(55)をヘッド上部ケース(５)の正面に配置したことによって、図１８、図１９に示す様に、ヘッド部(２)を引剃り傾きポジションに傾けた際、押上げ摘み(55)が内側に向くから、引剃り中に、押上げ摘み(55)に触れて誤動作させることを防止できる。
【００３３】
ヘッド上部ケース(５)の背面には、該背面の１／２以上を占める横長の大きな洗浄用窓孔(51)が開設され、蓋板(52)によって閉じられている。蓋板(52)は下部両端が軸承されてバネ(53)で開き方向に付勢されている。
ヘッド上部ケース(５)の蓋板(52)の上方には、係止用摘み(54)が上下にスライド可能に取り付けられる。ロック用摘み(54)は下位置で蓋板(52)を閉じ状態に係止でき、上位置で該係止を解除できる。
【００３４】
前記ハンドル部(１)の両ブラケットアーム(11)の先端部外側に円形の凹段部(12)、内側には該凹段部(12)に対応して円形の凸段部(13)が形成されている。該凸段部(13)(13)は、前記ヘッド部(２)の下部ケース(21a)両端の円形凹み段部(24)に回転可能に嵌まる。
両ブラケットアーム(11)(11)を外側へ弾性変形させて、ブラケットアーム(11)(11)間にヘッド部(２)を嵌込みできる。
【００３５】
ブラケットアーム(11)の凹段部(12)の中心に円孔(18)が開設され、該偏芯回転軸(16)と前記下部ケース(21a)の凹み段部(24)の中心に開設された孔(25)に跨って筒軸(７)が嵌合される。
筒軸(７)は両端に抜止め片(71)(72)を具えており、外端の抜止め片(72)はフランジ状に形成され内端の抜止め片(71)は、１８０°対称位置から外向きに突設されている。
筒軸内端の抜止め片(72)(72)と下部ケース(21a)の孔(25)の切欠(25a)(25a)の位相を合わせて筒軸(７)を嵌め込んでから回転させて、抜止め片(72)(72)と切欠(25a)(25a)位相を違えると、筒軸(７)は抜けない。即ち、ヘッド部(２)がハンドル部(１)から抜け出すことを確実に防止できる。
【００３６】
ブラケットアーム(11)と前記ヘッド部(２)に跨って、ヘッド部(２)の倒れ角度をロックするロック手段(６)が設けられる。図７では、ロック手段(６)は、両ブラケットアーム(11)(11)に設けられているが、何れか一方側に設けるだけでもよい。
【００３７】
図７、図１１、図１２に示す如く、ロック手段(６)は、ブラケットアーム(11)と互いの凸部(66)と凹部(67)による係脱手段(60)の係合によってヘッド部(２)の傾き角度をロックできるロック板(65)と、ロック解除用ボタン(61)とによって構成される。
ロック解除用ボタン(61)は、前記ブラケットアーム(11)の凹段部(12)に嵌まり、中心に突設した軸部材(62)を、前記筒軸(７)にスライド可能に貫通してヘッド部(２)の前記小部屋(27)に侵入させている。
軸部材(62)は、筒軸(７)に緊密に嵌まる間隔を存して平行に設けた２本の軸片(63)(63)からなり、各軸片(63)(63)の先端に設けた外向きの掛り爪(64)が筒軸(７)の端面に引っ掛かって抜止めが画られる。掛り爪(64)が存在していても軸片(63)(63)の弾性変形によって、軸片(63)(63)間が狭まって軸部材(62)の筒軸(７)への挿入は可能である。
軸部材(62)の有効長さは、筒軸(７)に対して、前記係脱手段(60)の係合を解除できるのに要するストロークよりも長い。
【００３８】
実施例のロック板(65)は、係脱手段(60)の凸部(66)であるロック軸(66a)を具え、ブラケットアーム(11)は係脱手段(60)の凹部(67)であるロック孔(67a)を具えている。
図７に示す如く、ブラケットアーム(11)は前記凹段部(12)に、３個１組のロック孔(67a)を、１８０°対称位置に２組開設している。
１組の３つのロック孔(67a)の間隔は、前記ヘッド部(２)の３つの傾きポジションに対応している。
【００３９】
図１１に示す如く、ロック板(65)は、前記ヘッド部(２)内の小部屋(27)に収容され、２本のロック軸(66a)を、ヘッド部(２)の端板(23)に開設されている２つのガイド孔(26)にスライド可能に嵌めている。
ロック板(65)は、バネ(68)によつて、ロック解除用ボタン(61)側に付勢されており、ロック板(65)は、常時ロック解除用ボタン(61)の軸部材(62)を外側に押している。
ヘッド部(２)の角度ロック状態では、ロック軸(66a)は、ガイド孔(26)を貫通して前記ブラケットアーム(11)上に開設したロック孔(67a)に嵌まっている。
【００４０】
図１２に示す如く、ロック解除用ボタン(61)をバネ(68)に抗して押すと、ロック解除用ボタン(61)上の軸部材(62)がロック板(65)を内側に押して、ロック軸(66a)をブラケットアーム(11)のロック孔(67a)から抜き外して、ヘッド部(２)の傾きロックを解除できる。この状態で、ヘッド部(２)の筒軸(７)を中心とする回転(傾き)が許される。ヘッド部(２)を傾けて、次に互いのロック軸(66a)とロック孔(67a)が係合する位置でヘッド部(２)の傾きを確実にロックできる。
ロック解除用ボタン(61)は、その軸部材(62)によって直接にロック板(65)を押圧するからロス無く押圧力を作用させることができる。
ロック解除用ボタン(61)の軸部材(62)の先端に抜止め施しておけば、ロック板(65)を介してバネ(68)によってロック解除用ボタン(61)を常時抜出し方向に付勢しておくことができ、ロック解除用ボタン(61)に常にバネテンションを掛けておくことでロック解除用ボタン(61)のガタツキを無くすことができる。
【００４１】
本発明の作用、効果については説明済みであり、重複は避ける。
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００４２】
【図１】電気かみそりの正面側からの斜視図である。
【図２】ヘッド部の傾きポジションを示し、ａ図は引剃り傾きポジション、ｂ図は中間傾きポジション、ｃ図は際剃り傾きポジションである。
【図３】電気かみそりのヘッド部背面側の斜視図である。
【図４】ヘッド部の分解斜視図である。
【図５】ａ図は、ヘッド部の平面図、ｂ図はハンドル部の上部正面図である。
【図６】ａ図は、ヘッド部の側面図、ｂ図はハンドル部の上部側面図である。
【図７】ハンドル部側ロック手段の分解斜視図である。
【図８】ヘッド部の下部側分解斜視図である。
【図９】刃体ユニットの分解斜視図である。
【図１０】外刃カセットの分解斜視図である。
【図１１】ヘッド部ロック状態のロック手段の断面図である。
【図１２】ヘッド部ロック解除状態のロック手段の断面図である。
【図１３】振動子の下方からの斜視図である。
【図１４】振動子ヘッド部部溝孔の関係を示す断面図である。
【図１５】振動子付近の断面図である。
【図１６】ａ図は仕上げ剃り外刃の孔パターン、ｂ図は該孔パターンの拡大図である。
【図１７】ａ図は荒剃り外刃の孔パターン、ｂ図は該孔パターンの拡大図である。
【図１８】顎下を引剃りする使用状態の説明図である。
【図１９】顔横を引剃りする使用状態の説明図である。
【図２０】ヘッド部内を洗浄する説明図である。
【符号の説明】
【００４３】
１  ハンドル部
11  ブラケットアーム
２  ヘッド部
21  ヘッド本体ケース
３  刃体ユニット
30  外刃カセット
32  際剃り外刃
33  荒剃り外刃
34  仕上げ剃り外刃
４  振動子
５  ヘッド上部ケース
51  洗浄用窓孔
６  ロック手段
60  係脱手段
61  ロック解除用ボタン
66  凸部
66a  ロック軸
67  凹部
67a  ロック孔
68  バネ
【図１】
2009201714.tif 000003
【図２】
2009201714.tif 000004
【図３】
2009201714.tif 000005
【図４】
2009201714.tif 000006
【図５】
2009201714.tif 000007
【図６】
2009201714.tif 000008
【図７】
2009201714.tif 000009
【図８】
2009201714.tif 000010
【図９】
2009201714.tif 000011
【図１０】
2009201714.tif 000012
【図１１】
2009201714.tif 000013
【図１２】
2009201714.tif 000014
【図１３】
2009201714.tif 000015
【図１４】
2009201714.tif 000016
【図１５】
2009201714.tif 000017
【図１６】
2009201714.tif 000018
【図１７】
2009201714.tif 000019
【図１８】
2009201714.tif 000020
【図１９】
2009201714.tif 000021
【図２０】
2009201714.tif 000022